(57)【要約】      （修正有）【課題】長期間の使用によっても弾力性、ボリューム感を失わず、ホコリ等も溜まりにくく、寒くなっても硬くならず、夏でも熱がこもらずムレにくく、長時間の使用によっても足等がしびれない、水洗いが可能な座布団を提供する。【解決手段】ウオーターマットレス８の中に普通の水道水などを入れて、水で充填されたこのマットレスをフレーム２で固定された中に入れて使用するウオーターマットレス座布団である。このウオーター座布団１はサーモスタット制御５のヒーター等で設定温度を保つことが出来る仕様とする事で、冬も夏も乾燥する事無く、ウオーターマットレスを支えるフレームの形状によっては快適に何時間も座布団に正座できる。【選択図】図２
2017164436.tif 000002
【特許請求の範囲】
【請求項１】
（イ）フレームで固定されたこの中に、水で充填されたウオーターマットレスを入れて仕様するウオーター座布団である。
（ロ）ウオーターマットレスの中には、普通の水道水などを入れて、防腐剤を入れて長く使える様にする。又この中にコイル状になったスポンジ（柔硬質ランダムに）等縦置きに設置する事も又適当な厚みの平面スポンジ（柔硬質）を設置する事も出来る構造仕様とされたウオーター座布団である。
（ハ）ウオーター座布団のスポンジの大きさ、高さ、重さ、厚さ、材質、柔硬性、色彩等とウオーターマットレスの大きさ、重さ、厚さ、材質、色彩等の詳細仕様については、限定しないウオーター座布団です。
（ニ）ウオーター座布団は、サーモスタット制御のヒーターで、設定温度を保つことが出来る仕様とする事。（これにより、冬も夏も乾燥する事無い）尚電源は、コンセント、ＬＤ、太陽発電、電池、充電式等に対応できるものとして、その仕様方法、使用範囲等については、限定しないウオーター座布団です。
（ホ）ウオーター座布団の大きさ、重さ、厚さ、材質、色彩等とウオーターマットレスの大きさ、重さ、厚さ、材質、色彩等の詳細仕様については、限定しないウオーター座布団です。
（ヘ）ウオーター座布団のフレームの形状、材質、大きさ、重さ、厚さ、色彩等の仕様については、限定しない。又フレームが座椅子みたいに上部個所迄立ち上がりアーム付き形状とすることも出来て、これらは各々に分解したり、又合体したりと、其々に持ち運びできる仕様とする。分解又合体等の仕様方法については、限定しないウオーター座布団です。
（ト）ウオーター座布団は、ウオーターマットレスとフレームからなっており、これらは、各々に分解したり、又合体したりと、其々に持ち運びできる仕様とする。分解又合体等の仕様方法については、限定しないウオーター座布団です。
（チ）ウオーターマットレスの使用する範囲は、原則的には、座床部とするが、座椅子の背中部みたいに上部個所迄ある形状とすることも出来て、これは各々に分解したり、又合体したり、一体になっていたりと、其々に持ち運びできる仕様とする。分解又合体等の仕様方法については限定しないウオーター座布団です。
（リ）通常ウオーター座布団に用いる水については、他の品物と混合したり、単独であったり又他に適合性に優れている品物が確認された場合必ずしも水でということで限定しないウオーター座布団です。
（ヌ）ウオーターマットに用いるＰＶＣ（ポリ塩化ビニール）についても同様他に適合性に優れている品物が確認された場合必ずしもＰＶＣでということで限定しないウオーター座布団です。
（ル）フレームで固定されて、水で充填されたマットレスの上に座位したとき、太腿と両膝のより一層の安定を保つ為に、周りのフレームからサポートの為のベルト、カバー器具等が取り付け又簡単に脱着することが出来るウオーター座布団です。
（ヲ）この周りのフレームからサポートの為のベルト、カバー器具等については、形状、材質、大きさ、長さ、固定方法、重さ、厚さ、色彩等の仕様については、限定しないウオーター座布団です。
（ワ）このベルト、カバー器具等には、サーモスタット制御のヒーターで、設定温度を保つことが出来る仕様とされたウオーター座布団です。
（カ）ウオーター座布団の下部には、移動を楽にするための器具を設ける事も出来るようにして、使用しないときは、収納出来るような構造とする事も出来るウオーター座布団です。尚これらの機構仕様等については、限定しないウオーター座布団です。
（ヨ）又重さ、厚さ、材質、色彩等とこの器具の大きさ、個数、重さ、厚さ、材質、色彩等の詳細仕様については、限定しないウオーター座布団です。
【発明の詳細な説明】
【技術分野】
【０００１】この発明は、床に正座した時に、足、腰への負担を少なくする事を極力少なくする事を目的に作られた品物であります。
【背景技術】
【０００２】従来の座布団は、ワタ素材、低反発素材等其々種類が千差万別数多くありました。
【発明が解決しようとする課題】
【０００３】これは次のような欠点があった。
例えば、既存のワタ素材、低反発素材等を基調にした座布団について、ワタ素材の場合使用しているうちに、弾力性が失われ、ボリューム感がなくなってきます。更にホコリ等も溜まりやすく、一部商品を除いてほとんど水洗いは、出来ません。又低反発素材の場合これは寒くなると硬くなる特性があり、逆に夏などは、熱がこもりムレやすいという難点があり、一部商品を除いてほとんど水洗いは、出来ません。これらの品物は、いずれも使用時間が長くなると、足等がしびれてきます。水洗いは、出来ません。既存の品物では、これらの其々の欠点を払拭された品物がありませんでした。今回開発された品物は、これらの欠点をカバーされた座布団として、対応し、なされた品物である。
【課題を解決する為の手段】
【０００４】ウオーターマットレスの中に、普通の水道水などを入れて、水で充填されたこのマットレスをフレームで固定された中に入れて使用するウオーターマットレス座布団である。これにより発明が解決しようとする欠点等諸問題が解決されます。更にこのウオーター座布団は、サーモスタット制御のヒーター等で、設定温度を保つことが出来る仕様とする事で、冬も夏も乾燥する事無くて、ウオーターマットレスを支えるフレームの形状によっては、快適に何時間も座布団に正座できます。
【発明の効果】
【０００５】ウオーター座布団には、体全体の体重が腰を通して、両脚に荷重がかかりますがマットレスは、浮力により、両脚の起状にあわせて、ジャストフィットします。そのため、両脚に対する圧力を分散させ、毛細血管内の血液のながれを妨げず、自然体のため、両脚にしびれが発生しない為、しびれによって、途中何回も立ち上がっていた回数が少なくて済むようになった。特に肥満の方又幼少時から、正座に慣れ親しんで無い方にとっては、最良の座布団である。
更にウオーター座布団は、ヒーターにより水の温度を快適にコントロールするため、両脚から体温を奪ってしまうというような、エネルギーロスがありません。又近年の都市生活において、家屋の密閉性から、湿気により既存の座布団が、ダニ、カビの発生によりこれらの空中飛散を吸い込む危険性もあります。
この点においてもウオーター座布団は、マットレス素材がＰＶＣ（ポリ塩化ビニール）ですので、清潔に保ちやすくなります。
【発明を実地する為の最良の形態】
【０００６】以下。本発明を実地する為の最良の形態について説明する。
マットレスの中に普通の水道水などを入れて、防腐剤を入れて、水で充填されたこのマットレスをフレームで固定された中に、入れて使用するウオーターマットレス座布団である。更にこのウオーター座布団に、サーモスタット制御のヒーター等でカバーすることにより、設定温度を保つことが出来る仕様とする事で、冬も夏も乾燥する事無くて、ウオーターマットレスを支えるフレームの形状によっては、快適に何時間も座布団に正座できます。
【図面の簡単な説明】
【０００７】
【図１】本発明の平面図と立面図、側面図である。
【図２】本発明のあいそめ図である。
【符号の説明】
【０００８】１    ウオーター座布団
２    フレーム
３    太腿、両膝のサポートのベルト、カバー等器具
４    ウオーター座布団の移動をするための器具等
５    サーモスタット制御
６    コイル状になったスポンジ
７    平面スポンジ（柔硬質）
８    ウオーターマットレス
９    給排水口
【図１】
2017164436.tif 000003
【図２】
2017164436.tif 000004